(57)【要約】【課題】  インターホン子機に備える呼出ボタンのみを用いて、任意の契機に呼出先を切り替えるインターホン子機を提供する。【解決手段】  複数の呼出先および呼出順に係る情報を登録する呼出先情報登録手段と、前記呼出ボタンの操作に応じて前記呼出先情報登録手段に登録されているいずれかの呼出先を呼出すことをインターホン制御装置へ要求する呼出要求手段を有し、前記呼出要求手段は、第一の呼出操作が為された場合に、前記呼出先情報登録手段を参照して先頭の呼出先を呼出し、前記呼出先が応答する以前に第二の呼出操作が為された場合に、次順以降の呼出先を呼出し、復旧操作が為された後の所定の期間内に第三の呼出操作が為されたならば、前記呼出先情報登録手段を参照して先頭以外の呼出先を呼出すことを特徴とする呼出先切替機能を有するインターホン子機。【選択図】    図１
2015070361.tif 000002
【特許請求の範囲】
【請求項１】
呼出操作に係る１以上の呼出ボタンを備えるインターホン子機であって、
複数の呼出先および呼出順に係る情報を登録する呼出先情報登録手段と、前記呼出ボタンの操作に応じて前記呼出先情報登録手段に登録されているいずれかの呼出先を呼出すことを自インターホン子機が帰属しているインターホン制御装置へ要求する呼出要求手段と、を有し、
前記呼出要求手段は、前記呼出ボタンによる第一の呼出操作が為された場合に、前記呼出先情報登録手段を参照して先頭の呼出先を呼出すことを前記インターホン制御装置へ要求し、前記呼出先が応答する以前に前記呼出ボタンによる第二の呼出操作が為されたならば、前記第一の呼出操作による呼出要求を中止しまたは継続したまま、次順以降の呼出先を順次または一斉に呼出すことを前記インターホン制御装置へ要求することを特徴とする呼出先切替機能を有するインターホン子機。
【請求項２】
請求項１に記載のインターホン子機において、
通話後に行われる復旧操作を検知してインターホン子機の呼出状態の復旧を自インターホン子機が帰属しているインターホン制御装置へ要求する復旧要求手段を更に具備し、
前記呼出要求手段は、前記復旧要求手段によって復旧操作が為されたことを検知した後の所定の期間内に前記呼出ボタンによる第三の呼出操作が為されたならば、前記呼出先情報登録手段を参照して先頭以外の呼出先を呼出すことを特徴とする呼出先切替機能を有するインターホン子機。
【発明の詳細な説明】
【技術分野】
【０００１】
本発明は、呼出操作を検知して、所定の応対者端末を呼出すインターホン子機に関するものである。
【背景技術】
【０００２】
従来、インターホン制御装置に、通常時に所定の応対者の呼出を要求する呼出ボタンと緊急時に特定の応対者の呼出を要求するスタッフコールボタンの二つの呼出操作ボタンを備えたインターホン子機を接続し、前記インターホン子機がどちらの呼出操作ボタンを押下したかを識別して呼出先を切り替える技術が知られている（例えば、特許文献１）。しかしながら、前者の呼出ボタンのみを備えた既存のインターホン子機では、通常時と緊急時とで状況に応じて呼出先を切り替えることができなかった。
【先行技術文献】
【特許文献】
【０００３】
【特許文献１】特開２００４−２８２５９７号広報
【発明の概要】
【発明が解決しようとする課題】
【０００４】
本発明の課題は、インターホン子機に備える呼出ボタンのみを用いて、呼出先を切り替えることが可能なインターホン子機を提供することにある。
【課題を解決するための手段】
【０００５】
本発明は呼出操作に係る１以上の呼出ボタンを備えるインターホン子機であって、複数の呼出先および呼出順に係る情報を登録する呼出先情報登録手段と、前記呼出ボタンの操作に応じて前記呼出先情報登録手段に登録されているいずれかの呼出先を呼出すことを自インターホン子機が帰属しているインターホン制御装置へ要求する呼出要求手段と、通話後に行われる復旧操作を検知してインターホン子機の呼出状態の復旧を自インターホン子機が帰属しているインターホン制御装置へ要求する復旧要求手段とを有し、前記呼出要求手段は、前記呼出ボタンによる第一の呼出操作が為された場合に、前記呼出先情報登録手段を参照して先頭の呼出先を呼出すことを前記インターホン制御装置へ要求し、前記呼出先が応答する以前に前記呼出ボタンによる第二の呼出操作が為されたならば、前記第一の呼出操作による呼出要求を中止しまたは継続したまま、次順以降の呼出先を順次または一斉に呼出すことを前記インターホン制御装置へ要求し、前記復旧要求手段によって復旧操作が為されたことを検知した後の所定の期間内に前記呼出ボタンによる第三の呼出操作が為されたならば、前記呼出先情報登録手段を参照し、先頭以外の呼出先を呼出すことを特徴とする。
【発明の効果】
【０００６】
本発明によれば、呼出ボタンのみを備える既存のインターホン子機をそのまま利用して、操作者が任意の契機にかつ即時に、別の呼出先候補やスタッフコールの応対者端末の呼出しに切り替えることが可能となる。
【図面の簡単な説明】
【０００７】
【図１】本発明のインターホン子機のブロック構成図である。
【図２】インターホンシステムの動作シーケンス図である。
【図３】インターホン子機の呼出先記憶部の記憶内容の一例を示す図である。
【図４】インターホン子機の制御部の動作フローである。
【発明を実施するための形態】
【０００８】
本発明の実施例を、図面を用いて説明する。
【０００９】
図１は、本発明のインターホン子機のブロック構成図である。このインターホンシステムは、本発明によるインターホン子機１とインターホン制御装置２と応対者端末３ａ〜３ｃとで構成されている。
【００１０】
インターホン子機１は、通話音声を入出力する音声入出力部１１と、インターホン制御装置２に対して応対者端末の呼出を起動する呼出ボタン１２およびインターホン子機の外部に延伸された握りボタン１３と、通話終了後にインターホン子機の状態復旧を要求する復旧ボタン１４と、廊下灯等のインターホン子機の外部に延伸された呼出ランプ１５と、予め呼出す応対者端末の電話番号と呼出順序に対応付けて記憶しておく呼出先記憶部１７と、インターホン制御装置２と接続する制御装置接続部１８と、インターホン子機の各部を制御する制御部１６から構成されている。
【００１１】
尚、制御部１６は、呼出ボタン１２と握りボタン１３のいずれかのボタン押下を検知した際に応対者端末の呼出を要求するもので、以下の実施例においては握りボタン１３の説明は割愛する。
【００１２】
インターホン子機１の制御部１６は、待機状態において、呼出ボタン１２が押下されたことを検知すると（図２のＳ１００）、呼出先記憶部１７の記憶内容を検索し、先頭の（第一の）呼出先の電話番号を抽出し、制御装置接続部１８を介してインターホン制御装置２に前記抽出した第一の呼出先電話番号に対する呼出を要求する（図２のＳ１０１）。
【００１３】
次に、インターホン制御装置２は、指定された第一の呼出先である応対者端末３ａを呼出し（図２のＳ２０１）、インターホン子機１に対してランプの点灯を指示する（図２のＳ１０２）。また制御装置接続部１８を介してランプ点灯指示を受信した制御部１６は、呼出ランプ１５を点灯する（図２のＳ１０２，Ｓ１０３）。
【００１４】
次に、制御部１６は、第一の呼出先が応答する以前に再び呼出ボタン１２が押下されたことを検知すると（図２のＳ１１０）、呼出先記憶部１７の記憶内容を検索し、次順の（第二の）呼出先の電話番号を抽出し、制御装置接続部１８を介してインターホン制御装置２に対して第一の呼出先への呼出の中止を要求するとともに（図２のＳ１１２）、前記抽出した第二の呼出先電話番号に対する呼出を要求する（図２のＳ１１３）。これによってインターホン制御装置２は、第一の呼出先である応対者端末３ａへの呼出を中止し（図２のＳ２０２）、第二の呼出先である応対者端末３ｂを呼出す（図２のＳ２０３）。
【００１５】
次に、インターホン制御装置２が、応対者端末３ｂが呼出に応答したことを検知すると（図２のＳ２０４）、インターホン子機１と応対者端末３ｂとの通話路を接続し、インターホン子機１に対して通話開始を指示する。また制御装置接続部１８を介して通話開始指示を受信した制御部１６は、音声入出力部１１に指示して通話を開始する（図２のＳ１１４，Ｓ２０５，Ｓ１２０）。
【００１６】
尚、その他の実施例として、第一の呼出先が応答する以前に再び呼出ボタン１２が押下されたことを検知した際に、第一の呼出先への呼出を継続したまま、次順以降の複数の呼出先を同時に呼出し、いずれか先に応答した呼出先（応対者端末）と通話するよう構成してもよい。
【００１７】
次に、インターホン制御装置２が、応対者端末３ｂが終話したことを検知すると（図２のＳ２０６）、インターホン子機１に対して通話終了を指示する。また制御装置接続部１８を介して通話終了指示を受信した制御部１６は、音声入出力部１１に指示して通話を終了する（図２のＳ１３０）。
【００１８】
次に、制御部１６は、通話終了後に復旧ボタン１４が押下されたことを検知すると（図２のＳ１４０）、
制御装置接続部１８を介してインターホン制御装置２に対して状態の復旧を要求し（図２のＳ１４１）、
再操作監視タイマを開始する。またインターホン制御装置２はインターホン子機１に対してランプの消灯を指示する。また制御装置接続部１８を介してランプ消灯指示を受信した制御部１６は、呼出ランプ１５を消灯する（図２のＳ１４３，Ｓ１４４）。
【００１９】
次に、制御部１６は、再操作監視タイマが満了する以前に、呼出ボタン１２が押下されたことを検知すると（図２のＳ１５０）、呼出先記憶部１７の記憶内容を検索し、次々順の（第三の）呼出先の電話番号を抽出し、制御装置接続部１８を介してインターホン制御装置２に対して前記抽出した第三の呼出先電話番号に対する呼出を要求する（図２のＳ１５２）。これによってインターホン制御装置２は、第三の呼出先である応対者端末３ｃを呼出し（図２のＳ２０７）、インターホン子機１に対してランプの点灯を指示する（図２の１５３）。また制御装置接続部１８を介してランプ点灯指示を受信した制御部１６は、呼出ランプ１５を点灯する（図２のＳ１５３，Ｓ１５４）。
【００２０】
次に、インターホン制御装置２が、応対者端末３ｃが呼出に応答したことを検知すると（図２のＳ２０８）、インターホン子機１と応対者端末３ｃとの通話路を接続し、インターホン子機１に対して通話開始を指示する。また制御装置接続部１８を介して通話開始指示を受信した制御部１６は、音声入出力部１１に指示して通話を開始する（図２のＳ１５６，Ｓ２０９，Ｓ１６０）。
【００２１】
尚、図示しないが、呼出ボタンの押下を検知せずに再操作監視タイマの満了を検知した場合、待機状態に戻る。
【００２２】
図３は、インターホン子機の呼出先記憶部の記憶内容の一例を示す図である。
待機状態から呼出ボタン押下を検知した場合の第一の呼出先として、応対者端末３ａに対する呼出先電話番号１０１（Ｖ１７１）が、第一の応対者端末を呼出中（第一の応対者端末が応答する以前）に呼出ボタン押下を検知した場合の第二の呼出先として、応対者端末３ｂに対する呼出先電話番号２０１（Ｖ１７２）が、復旧ボタン押下後の再操作監視タイマが満了する以前に呼出ボタン押下を検知した場合の第三の呼出先として応対者端末３ｃに対する呼出先電話番号３０１（Ｖ１７３）が予め登録されている。
【００２３】
尚、これらの呼出操作と呼出先電話番号の対応は、過去の通話履歴や現在の使用状況等に応じて、自動的に変更するよう構成してもよい。
【００２４】
図４は、インターホン子機の制御部の動作フローである。
待機状態において、インターホン子機１の制御部１６が、呼出ボタン１２が押下されたことを検知すると（Ｓ１００，ＹＥＳ）、呼出先記憶部１７に登録されている第一の呼出先に対応する呼出先電話番号（図３のＶ１７１）を抽出し、制御装置接続部１８を介してインターホン制御装置２に、前記抽出した呼出先電話番号の（第一の）応対者端末の呼出しを要求する（Ｓ１０１）。
【００２５】
次に、制御部１６は、制御装置接続部１８を介してランプ点灯指示を受信すると（Ｓ１０２，ＹＥＳ）、
呼出ランプ１５を点灯状態とし（Ｓ１０３）、呼出音を確認するため、音声入出力部１１に指示して受話機能を有効とする（Ｓ１０４）。
【００２６】
次に、第一の呼出先を呼出中に、再度呼出ボタン１２が押下されたことを検知すると（Ｓ１１０，ＹＥＳ）、呼出先記憶部１７に登録されている第二の呼出先に対応する呼出先電話番号（図３のＶ１７２）を抽出し、制御装置接続部１８を介してインターホン制御装置２に、第一の呼出先に対する呼出の中止を要求した後（Ｓ１１２）、前記抽出した呼出先電話番号の（第二の）応対者端末の呼出しを要求する（Ｓ１１３）。
【００２７】
次に、制御装置接続部１８を介して応対者端末が応答した旨を示す通話開始指示を受信すると（Ｓ１１４，ＹＥＳ）、音声入出力部１１に指示して送話機能を有効にすることによって、インターホン子機１と第二の応対者端末とが通話状態となる（Ｓ１２０）。
【００２８】
またステップ１１０で呼出ボタン１２の押下を検出しない状態で、制御装置接続部１８を介して第一の応対者端末が応答した旨を示す通話開始指示を受信すると（Ｓ１１１，ＹＥＳ）、音声入出力部１１に指示して送話機能を有効にすることによって、インターホン子機１と第一の応対者端末とが通話状態となる（Ｓ１２０）。
【００２９】
次に、制御装置接続部１８を介して応対者端末が終話した旨を示す通話終了指示を受信した場合（Ｓ１３０，ＹＥＳ）、音声入出力部１１に指示して送受話機能を無効とすることにより通話状態が解除される（Ｓ１３１）。
【００３０】
次に、復旧ボタン１４が押下されたことを検知すると（Ｓ１４０，ＹＥＳ）、制御装置接続部１８を介してインターホン制御装置２に、インターホン子機１の状態の復旧を要求するとともに（Ｓ１４１）、再操作監視タイマ（例として１２０秒）を開始する（Ｓ１４２）。
【００３１】
尚、再操作監視タイマの開始は、ステップ１４３からステップ１５０の間であってもよい。
【００３２】
次に、制御装置接続部１８を介してランプ消灯指示を受信すると（Ｓ１４３，ＹＥＳ）、呼出ランプ１５を消灯状態とする（Ｓ１４４）。
【００３３】
前記開始した再操作監視タイマが満了する以前に、再度呼出ボタン１２が押下されたことを検知すると（Ｓ１５０，ＹＥＳ）、呼出先記憶部１７に登録されている第三の呼出先に対応する呼出先電話番号（図３のＶ１７３）を抽出し、制御装置接続部１８を介してインターホン制御装置２に、前記抽出した呼出先電話番号の（第三の）応対者端末の呼出しを要求する（Ｓ１５２）。
【００３４】
ステップ１５０において呼出ボタンの押下を検出せずに（Ｓ１５０，ＮＯ）、再操作監視タイマの満了を検知した場合には（Ｓ１５１，ＹＥＳ）、ステップ１００に戻る。
【００３５】
次に、第三の応対者端末の呼出しを要求した後、制御装置接続部１８を介してランプ点灯指示を受信すると（Ｓ１５３，ＹＥＳ）、呼出ランプ１５を点灯状態とし（Ｓ１５４）、呼出音を確認するため、音声入出力部１１に指示して受話機能を有効とする（Ｓ１５５）。
【００３６】
次に、制御装置接続部１８を介して応対者端末が応答した旨を示す通話開始指示を受信すると（Ｓ１５６，ＹＥＳ）、音声入出力部１１に指示して送話機能を有効にすることによって、インターホン子機１と第三の応対者端末とが通話状態となる（Ｓ１６０）。
【００３７】
尚、インターホン制御装置２は、ボタン電話主装置やＩＰ電話サーバなどであってもよい。
【符号の説明】
【００３８】
１・・・・インターホン子機
２・・・・インターホン制御装置
３ａ，３ｂ，３ｃ・・・・応対者端末
１１・・・音声入出力部
１２・・・呼出ボタン
１３・・・握りボタン
１４・・・復旧ボタン
１５・・・呼出ランプ
１６・・・制御部
１７・・・呼出先記憶部
１８・・・制御装置接続部
【図１】
2015070361.tif 000003
【図２】
2015070361.tif 000004
【図３】
2015070361.tif 000005
【図４】
2015070361.tif 000006